(57)【要約】【課題】貼付した部位に均等で、かつ安定して、持続的に温熱効果を付与できる水和発熱性貼付剤を提供する。【効果】（Ａ）通水部、当該通水部に接して配置された（Ｂ）発熱制御剤含有層、及び水和反応により発熱する物質が固定化され、かつ通水部を通過した水が（Ｃ）発熱制御剤含有層を通って水和反応により発熱する物質に接触するように配置された水和発熱層を有する水和発熱性貼付剤。【選択図】      なし【特許請求の範囲】
【請求項１】
（Ａ）通水部、当該通水部に接して配置された（Ｂ）発熱制御剤含有層、及び水和反応により発熱する物質が固定化され、かつ通水部を通過した水が発熱制御剤含有層を通って水和反応により発熱する物質に接触するように配置された（Ｃ）水和発熱層を有する水和発熱性貼付剤。
【請求項２】
発熱制御剤が、固体状酸及び炭酸塩から選ばれる１種以上である請求項１記載の水和発熱性貼付剤。
【請求項３】
水和熱により発熱する物質が、酸化カルシウムである請求項１又は２記載の水和発熱性貼付剤。
【請求項４】
（Ｂ）発熱制御剤含有層が、（Ｃ）水和発熱層の両側に配置されたものである請求項１〜３のいずれか１項記載の水和発熱貼付剤。
【発明の詳細な説明】
【０００１】
【発明の属する技術分野】
本発明は、水と接触させることにより、貼付した部位に均等かつ安定して、持続的に温熱効果を付与できる水和発熱性貼付剤に関する。
【０００２】
【従来の技術】
酸化カルシウムに代表される水和反応により発熱する物質は、身体局所を温熱処理するための組成物（温熱組成物）として有用であることが知られている。しかし、水和反応により発熱する物質は、発熱が急激であったり、温熱効果が持続しないなどの問題があり、人体への適用が困難であった。
【０００３】
これに対し、酸化カルシウムに一定の溶解度を有する固体状酸を組み合せれば、温熱効果が持続することが知られている（特許文献１）。
【０００４】
【特許文献１】
特開２０００−３４４６１７号公報
【０００５】
【発明が解決しようとする課題】
しかしこの温熱組成物を従来公知の貼付剤の形態にして皮膚に適用しようとすると、貼付面の一部のみの温度が上昇することがあるという問題があった。
従って、本発明の目的は、貼付した部位に均等で、かつ安定して、持続的に温熱効果を付与できる水和発熱性貼付剤を提供することにある。
【０００６】
【課題を解決するための手段】
そこで本発明者は、固体状酸等の発熱制御剤と水和反応により発熱する物質の配置等について種々検討した結果、通水部を通過した水が、水和反応により発熱する物質に接触する前に発熱制御剤含有層に接触し、当該発熱制御剤含有層を通って水和反応により発熱する物質に接触するように配置し、かつ水和反応により発熱する物質を固定化することにより、貼付部位に均等で安定した温熱効果が得られることを見出した。
【０００７】
すなわち、本発明は、（Ａ）通水部、当該通水部に接して配置された（Ｂ）発熱制御剤含有層、及び水和反応により発熱する物質が固定化され、かつ通水部を通過した水が発熱制御剤含有層を通って水和反応により発熱する物質に接触するように配置された（Ｃ）水和発熱層を有する水和発熱性貼付剤を提供するものである。
【０００８】
【発明の実施の形態】
本発明の水和発熱性貼付剤は、（Ａ）通水部、（Ｂ）発熱制御剤含有層、及び（Ｃ）水和発熱層で構成される。ここで、（Ａ）通水部は、通水性を有する材料、例えば不織布、織布、紙、有孔フィルム又はそれらの組合せ等で構成される。当該通水部は、本発明貼付剤において（Ｂ）発熱制御剤含有層に水を供給できるように配置する。通水部は貼付部位を除くすべての面に配置されてもよいし、一部に配置されていてもよい。貼付部位を除くすべての面に配置されている場合には、当該通水部に渡って（Ｂ）発熱制御剤含有層が配置されるのが好ましい。通水部に渡ってでなければ、直接（Ｂ）発熱制御剤含有層に水が触れた影響を極力小さく押える様に、直接水に触れる面積を少なくする必要がある。
【０００９】
（Ｂ）発熱制御剤含有層は、通水部に接して配置される必要がある。通水部を通過した水が、直接（Ｃ）水和発熱層に接触せず、必ず発熱制御剤含有層を通って水和反応により発熱する物質に接触するようにしないと、急激な発熱が生じ、温度調節が困難となり、また温熱効果の持続性も十分でない。
【００１０】
発熱制御剤としては、固体状酸及び炭酸塩から選ばれる１種以上が用いられる。ここで固体状酸としては、室温で固体の酸が挙げられる。これらの固体状酸のうち、発熱反応の制御及び持続性の点で２０℃で水への溶解度が０．１〜５０重量％、特に０．１〜１０重量％のものが好ましい。また、この酸は、水和反応により発熱する物質が酸化カルシウムの場合、酸化カルシウムとの反応により生成するカルシウム塩の水への溶解度が、水酸化カルシウムの溶解度より大きいものが好ましく、具体的には、カルシウム塩の２０℃での水への溶解度が０．１重量％以上、特に０．５〜５０重量％のものが好ましい。
【００１１】
このような固体状酸としては、例えばフマル酸、マレイン酸等が挙げられ、特にフマル酸が好ましい。水和反応により発熱する物質、例えば酸化カルシウムと固体状酸の配合割合は、重量比で１：５〜５：１、特に１：３〜１：１であるのが好ましい。
【００１２】
また炭酸塩としては、酸と反応して炭酸ガスを発生し、発熱を緩和できるもの、例えば炭酸ナトリウム、炭酸水素ナトリウム、炭酸マグネシウム等が挙げられる。固体状酸と炭酸塩は併用してもよい。
【００１３】
（Ｂ）発熱制御剤含有層には、さらに保水材料、例えばパルプ、綿、吸水ポリマー等を配置することができる。
【００１４】
（Ｃ）水和発熱層は、水和反応により発熱する物質が固定化され、かつ通水部を通過した水が発熱制御剤含有層を通って水和反応により発熱する物質に接触するように配置される。通水部を通過した水が発熱制御剤含有層を通って水和反応により発熱する物質に接触するように配置されるのは、前記のように急激な発熱を防止し、温度を調節し、かつ温熱効果を持続させるためである。
【００１５】
従って、（Ｂ）発熱制御剤層中の発熱制御剤と、（Ｃ）水和発熱層中の水和発熱物質とは接しているのが好ましい。また、（Ｂ）発熱制御剤層中の発熱制御剤と（Ｃ）水和発熱層の水和発熱物質との間に何らかの層を介在させる場合には、その層は、（Ｂ）発熱制御剤層を水が通過したときに生じる、発熱制御剤水溶液と発熱制御剤粒子の混液を通過させる層であることが好ましい。発熱制御剤水溶液と発熱制御剤粒子の両方が水和発熱物質に接触することにより、急激な発熱を防止し、かつ温熱効果も持続するからである。また、水和反応により発熱する物質は、貼付面に渡って均一に固定化されていることが、貼付部位に均一かつ安定して温熱効果を付与する点で好ましい。また、目的によっては、均一でなく分布を持たせて固定すれば、所望の部位を局所的に高温にすることができる。
【００１６】
水和反応により発熱する物質としては、酸化カルシウム、硫酸マグネシウム、リン酸水素ナトリウム、硫酸カルシウム等が挙げられるが、酸化カルシウムが特に好ましい。これらの発熱物質は、粉末状、粒状等のいずれでも良く、粒径が０．５〜５ｍｍ、特に０．５〜３ｍｍであるのが、発熱の制御が行いやすいので好ましい。
【００１７】
当該水和発熱物質の固定化手段としては、通水性物質の表面又は内部に固定する手段、例えば通水性物質に圧着、接着、融着、巻きつける等の手段や通水性物質の間にはさみ込む手段等が挙げられる。当該水和発熱物質を固定化する通水性物質としては、不織布、綿、パルプ、織物等が挙げられる。また担体表面に接着する場合には必ずしも通水性物質である必要はなく、フィルム等でもよい。また担体を使用せずに、打錠で固める方法、水溶性接着剤等で固める方法等でもよい。一方、当該水和発熱物質を固定化する手段には、当該水和発熱物質を通水性物質内に封入し、当該通水性物質を貼付面に配置する手段（図１）、当該水和発熱物質を貼付面全体に接着させる手段（図２）、担体に当該水和発熱物質を接着させ、その担体を貼付面に配置する手段（図３）等が挙げられる。
【００１８】
このように当該水和発熱物質を固定化するにあたっては、（Ｃ）水和発熱層の両側に（Ｂ）発熱制御剤含有層を配置する方法もある。このとき、その配置は、例えば図４〜図７のようになる。（Ｂ）発熱制御剤含有層は、（Ｃ）水和発熱層よりも先に水に接触する必要があるので、図４のように、（Ｂ）発熱制御剤含有層に通水部を設け、その（Ｂ）発熱制御剤含有層が（Ｃ）水和発熱層よりも大きい形態にする。また、図５のように（Ｄ）粘着層を設け、その一部に通水部を設けた形態にしてもよい。また、図６のように内層に（Ｃ）水和発熱層を有し、外層に（Ｂ）発熱制御剤含有層を有する錠剤を得、これを複数配置した形態（図７）にしてもよい。
なお、（Ｄ）粘着層は、皮膚に接着させ温熱効果を得た後剥離できる程度の粘着力を有する層であればよい。また、（Ｃ）水和発熱層と（Ｄ）粘着層の間には、水和発熱層の熱が伝わるのを緩和するため、パルプ、綿、不織布等の緩衝材の層を設けるとさらに好ましい。
【００１９】
さらに発熱制御層も分布が変わらないように固定化することが好ましい。固定化手段は水和発熱物質の場合と同様にすればよい。ただしこの場合は、通水性物質への固定が要求される。
【００２０】
本発明の水和発熱貼付剤は、使用前に水を供給するか、身体の一部に貼付し、その通水部に水を供給することにより、当該貼付部位を温熱処理することができる。通水部への水の供給は、入浴、シャワー、貼付部位の水への浸漬等により行うのが好ましい。当該身体の一部としては、例えば上肢部、下肢部、頚部、背腰部、上腕部、脚部等が挙げられる。また、通水部に供給される水は、３３〜３５℃、３５〜４３℃が好ましい。かくすることにより、貼付部位の温度を３７〜５５℃にすることができる。
【００２１】
【実施例】
実施例１及び比較例１
通水性を確保するために径１．５ｍｍ、開孔率１２％の孔の開いたフィルム両面に酸化カルシウムを均一に接着して固定し、そのフィルムの両側（表裏）に高さ２ｍｍの枠を設け、その枠内にフマル酸、炭酸ナトリウム及び吸水ポリマー（アクリル酸重合体部分ナトリウム塩架橋物）の混合物（発熱制御剤：酸化カルシウムの２倍重量部）を均一に入れて、酸化カルシウムの両側を発熱制御剤層で挟むようにして、片面に粘着層を有する通水袋に入れ、水和発熱性貼付剤を得た（図４の形態）。
比較例として、酸化カルシウム、フマル酸、炭酸ナトリウム及び吸水ポリマー（アクリル酸重合体部分ナトリウム塩架橋物）を前記と同一量混合して片面に粘着層を有する通水袋に入れ、比較貼付剤を得た。
【００２２】
実施例１及び比較例１の貼付剤を、樹脂板に貼付して４０℃の湯槽に浸漬し、図８に示した位置１〜６各位置の温度を連続的に測定した。その結果、図９及び図１０に示すように比較例１は位置により温度上昇がバラバラだったが、実施例１はいずれの位置も同様の温度上昇を示し、均一で安定した持続的な温熱効果が得られることが判明した。
【００２３】
実施例２
径３５ｍｍの有孔フィルムの表裏に酸化カルシウムを接着し、その両側を等量のフマル酸、炭酸ナトリウム及び吸水ポリマー（アクリル酸重合体部分ナトリウム塩架橋物）の混合物で挟み込み、４０ｍｍ直径になるよう打錠した（図６）。その錠剤一錠を一辺４４ｍｍの、片面に粘着層を有する通水袋に入れ、水和発熱性貼付剤を得た。
この貼付剤について実施例１と同様にして６ヶ所の温度を経時的に測定したところ、実施例１と同様な均一で安定した持続的な温熱効果が得られた。
【００２４】
【発明の効果】
本発明の貼付剤を用いれば、水を接触させることにより、貼付した部位に均等かつ安定して、持続的に温熱効果を付与できる。
【図面の簡単な説明】
【図１】発熱物質が多孔物質内に封入された本発明水和発熱性貼付剤の一実施態様を示す図である。
【図２】発熱物質が貼付面に接着された本発明水和発熱性貼付剤の一実施態様を示す図である。
【図３】発熱物質が担体上に接着された本発明水和発熱性貼付剤の一実施態様を示す図である。
【図４】発熱制御層が水和発熱層よりも大きい形態である、本発明水和発熱性貼付剤の一実施態様を示す図である。
【図５】粘着層の一部に通水部を有する形態である、本発明水和発熱性貼付剤の一実施態様を示す図である。
【図６】錠剤の形態を示す図である、本発明水和発熱性貼付剤の一実施態様を示す図である。
【図７】複数の錠剤を並べて封入した形態である、本発明水和発熱性貼付剤の一実施態様を示す図である。
【図８】温度測定位置を示す図である。
【図９】比較例１の貼付剤の温度の経時変化を示す図である。
【図１０】実施例１の本発明水和発熱性貼付剤の温度の経時変化を示す図である。
【符号の説明】
（Ａ）：通水部
（Ｂ）：発熱制御剤層
（Ｃ）：水和発熱層
１：水和反応により発熱する物質
２：担体
（Ｄ）：粘着層
【図１】
2004187780.tif 000002
【図２】
2004187780.tif 000003
【図３】
2004187780.tif 000004
【図４】
2004187780.tif 000005
【図５】
2004187780.tif 000006
【図６】
2004187780.tif 000007
【図７】
2004187780.tif 000008
【図８】
2004187780.tif 000009
【図９】
2004187780.tif 000010
【図１０】
2004187780.tif 000011